Podtech/llm-jp-corpus-v4-ja_patent huggingface dataset:
(57)【要約】【課題】  三角コーナー内側に装着された水切りネット内の、調理時に出る生ゴミに含まれる水分を、容易に取り除くことが出来る水絞り溝付三角コーナーを提供する。【解決手段】  三角コーナーの側壁上部の任意箇所より下部方向にＵ字形の水絞り溝を設けた事を特徴とする水絞り溝付三角コーナーである。【選択図】図２
2011225367.tif 000002
【特許請求の範囲】
【請求項１】
三角コーナー側壁上部の任意箇所より下部方向にＵ字形状、及び、任意形状の水絞り溝を一箇所、及び、複数箇所設けたことを特徴とする、水絞り溝付三角コーナー。
【発明の詳細な説明】
【技術分野】
【０００１】  本発明は、台所流し台等で使用される、生ゴミなどをまとめて捨てるために溜め置く、いわゆる、三角コーナーの水切りネットの水絞り溝を有する、水絞り溝付三角コーナーに関するものである。
【背景技術】
【０００２】  従来、流し台で使用する三角コーナーは、市販の水きりネットを三角コーナー内側にセットし調理時に出る生ゴミをいれ、生ゴミが一杯になったら、水きりネットを取出して、手でネットを絞るようにして水分を取り除き、各地域のゴミ収集システムにしたがって処理をしていた。
【発明の開示】
【発明が解決しようとする課題】
【０００３】  そのために、次のような問題点が生じていた。台所の流し台で使用する、三角コーナー内側に取り付けられた水切りネット内の生ゴミから出る水分は自然落下し、従来の三角コーナーに設けられている水きり溝を通り三角コーナー外に処理されていたが、水分の自然落下のみでは生ゴミの水分は完全に除去されず、又、生ゴミで水切りネットの目が詰まり水きりが悪く、水切りネットを三角コーナーから取り出しても、水分が生ゴミといっしょにネット内に残るため、そのたびに、手でネットを絞るようにして水分を取り除きゴミ処理をしていた。この作業は、手でネットを絞るようにして水分を取り除くため、手が汚れ、非常に不衛生であった。本発明は、以上の問題点を解決したものである。
【課題を解決するための手段】
【０００４】  上記問題点を解決するため、本発明は、三角コーナーの側壁上部より下部方向にＵ字形の水絞り溝を設けた構成からなる、水絞り溝付三角コーナーである。
【発明の効果】
【０００５】  したがって、三角コーナー内側にセットされた水切りネットに収納された水分を含む生ゴミを、手でネットを絞るようにして水分を取り除かなくても、又、生ゴミで手を汚すことなく、水分が除去された生ゴミが収納された水切りネットを取出す事ができるようになった。
【発明を実施するための最良の形態】
【０００６】  以下、本発明を実施するための最良の形態について図面を参照して説明をする。本発に係わる水絞り溝つき三角コーナーは、図２に示されるように、側壁上部より下部方向にＵ字形の、水絞り溝３が設けられている。【０００７】  次に使用方法について説明する。図３に示すように、まず水切りネット４を、水絞り溝付三角コーナー１の内側に装着し、調理時に出る水分を含む生ゴミ等を水切りネット４内に収納する。【０００８】  水切りネット内に生ゴミが一杯になり、水絞り溝付三角コーナー１より取り出す時は、図４に示すように、水切りネット４先端を手でつまみ、水絞り溝３上部より下部方向に差し込むように挿入し、矢印Ａ方向に引き出す事により、水切りネット内の生ゴミ等に含まれる水分は、水絞り溝３の作用により効率良く絞り出すことができ、手を汚すことなく、生ゴミ処理ができるようになった。【０００９】  上述の発明は、多角形、及び、円形等、任意形状の水切りザルなどにも利用可能である。【０００７】  ポリプロピレン、ポリエステル，ＡＢＳ，ＰＭＭＡ、ポリカ−ボネート、ポリアセタ−ルといった周知の樹脂が用いられるが、コストおよび成形性の点からポリプロピレンがより好ましい。
【実施例】
【図面の簡単な説明】
【図１】従来の三角コーナーの全体の概略斜視図である。
【図２】本発明に係わる水絞り溝付三角コーナーの概略斜視図である。
【図３】本発明に係わる水絞り溝付三角コーナーの水切りネットの装着概略斜視図である。
【図４】本発明に係わる水絞り溝付三角コーナーの水切りネットの水絞り状態を示す概略斜視図である。
【符号の説明】  １    水絞り溝付三角コーナー
２    従来の三角コーナーの水切り溝
３    水絞り溝
４    水切りネット
５    従来の三角コーナー
【図１】
2011225367.tif 000003
【図２】
2011225367.tif 000004
【図３】
2011225367.tif 000005
【図４】
2011225367.tif 000006
(57)【要約】      （修正有）【課題】消毒用アルコールで取り省くことが出来る絵画用接着剤を提供する。【解決手段】有機バインダーとしての水系エマルジョンに、貝殻（ホタテ）の微粉末、あるいは貝殻（ホタテ）の微粉末を溶かした水溶液が有機溶剤の代わりに混合されている絵画用接着剤。更に詳しくは、有機バインダーとしてシリコンを含むエマルジョン、またはアクリル樹脂を上記水溶液に混合することにより、作品自体に傷を付けることなく消毒用アルコールで取り省くことが出来る絵画用接着剤。【選択図】なし【特許請求の範囲】
【請求項１】
有機バインダーとしての水系エマルジョンに、貝殻（ホタテ）の微粉末、あるいは貝殻（ホタテ）の微粉末を溶かした水溶液が有機溶剤の代わりに混合されていることを特徴とする絵画用接着剤
【発明の詳細な説明】
【技術分野】
【０００１】
本発明は、絵画及び美術作品などの顔料・画材を接着させるメジュウムに関する。
【背景技術】
【０００２】
現存するメジュウムは、膠・油・アクリルなどがある。それらのものを取り省くものとして、膠には水、油・アクリルなどには、有機溶剤を必要とします。
【０００３】
膠の場合は、水で取り省く為、重ね塗りをした場合、下に塗った顔料や絵具が取れてしまうことが多くある。
【０００４】
油・アクリルは、有機溶剤で取り省く為、作品自体に傷が付く。それ故、取り省く作業はあまりしない。一度塗ったものは、消せない状態である。
【先行技術文献】
【特許文献】
【０００５】
特許公開平07-195900
【発明の概要】
【発明が解決しようとする課題】
【０００６】
本発明は、上述の問題点に鑑みてなされたものであって、取り省きたいという意思を行うことが出来るものである。
【課題を解決するための手段】
【０００７】
水系エマルジョンに貝殻（ホタテ）の微粉末、あるいは貝殻（ホタテ）の微粉末を溶かした水溶液が混合されていることを特徴とする。貝殻（ホタテ）の微粉末あるいは、貝殻（ホタテ）の微粉末の水溶液を使用し、これとシリコンを含むエマルジョンまたは、アクリル樹脂を混合することによって消毒用アルコールで取り省くことが出来る接着剤となる。
【発明の効果】
【０００８】
今まで取り省くことが困難だったことが、アルコールで簡単に取り省くことが出来るようになる。
(57)【要約】【課題】  従来は、箸では混ぜづらかった。納豆を混ぜやすくした蓋と羽根の付いた混ぜるための棒をセットした容器を提供する。【解決手段】  納豆の容器（１）に蓋（２）を設け、羽根の付いた棒（３）を設けた混ぜる棒を取り付けた納豆の容器を特徴とする。【選択図】図１
2011046443.tif 000002
【特許請求の範囲】
【請求項１】
納豆の容器（１）に、蓋（２）と羽根の付いた混ぜるための棒（３）を設けた混ぜる棒を取り付けた納豆の容器。
【発明の詳細な説明】
【技術分野】
【０００１】この発明は、羽根の付いた混ぜるための棒を設けた納豆の容器に関するものである。
【背景技術】
【０００２】従来、納豆を箸で混ぜるのが大変だった。
【発明の開示】
【発明が解決しようとする課題】
【０００３】これは次のような欠点があった。
従来の容器だと、浅かったり、別の皿に開けたり、箸でかき混ぜるのが面倒で、極めて煩わしかった。本発明は、以上のような欠点をなくすためになされたものである。
【課題を解決するための手段】
【０００４】納豆の容器（１）に蓋（２）と羽根の付いた混ぜるための棒（３）を設ける。
本発明は、以上の構成よりなる羽根の付いた混ぜるための棒を取り付けた納豆の容器。
【発明の効果】
【０００５】この容器で納豆を混ぜることにより、箸で混ぜる煩わしさがなくなり、回数も多く混ぜることにより、健康効果も上がり混ぜる感覚が楽しいので、食べる回数も増える。薬味なども混ざりやすくなり旨味も出る。【０００６】以下、本発明を実施するための最良の形態について説明する。納豆の容器（１）に蓋（２）と羽根の付いた混ぜるための棒（３）をセットして、納豆を簡単に、楽にかき混ぜることが出来る。
【図面の簡単な説明】
【０００７】
【図１】  本発明の分解図である。
【図２】  本発明の完成図である。
【符号の説明】
【０００８】  １  納豆の容器
２  蓋
３  羽根の付いた混ぜるための棒
【図１】
2011046443.tif 000003
【図２】
2011046443.tif 000004
(57)【要約】【課題】  机上等に置き、常に１〜３週間先の予定や日程が、一目で分かるように工夫した、週ごと三分メモを提供する。【解決手段】  メモ帳の紙面を、今週のメモ欄（１）、来週のメモ欄（２），再来週・その他のメモ欄（３）に三分し、メモ欄の境には、ミシン目（４）を入れ、各メモ欄の間には、段差（５）を設けることを特徴とする、週ごと三分メモ帳である。【選択図】図１
2011046185.tif 000002
【特許請求の範囲】
【請求項１】
メモ帳の紙面を、今週のメモ欄（１）、来週のメモ欄（２）、再来週・その他のメモ欄（３）に三分し、メモ欄の境には、ミシン目（４）を入れ、各メモ欄の間には、段差（５）を設けたことを特徴とする、週ごと三分メモ帳。
【請求項２】
メモ帳にミシン目を入れず、三つのメモ欄をそれぞれ独立したブロックとして配置した、請求項１の週ごと三分メモ帳。
【発明の詳細な説明】
【技術分野】
【０００１】  本発明は、机上等に置き、常に１〜３週間先の予定や日程が、週単位に、ひと目で分かるように工夫したメモ帳に関するものである。
【背景技術】
【０００２】  従来、当面の予定や日程の記述の確認は、主に日記帳や手帳でおこなわれ、メモ帳が積極的に利用されることはなかった。
【発明の概要】
【発明が解決しようとする課題】
【０００３】    そのために、次のような問題点があった。
（イ）日記帳や手帳の場合、いちいちページを捲らねばならず又、それが大部の場合は、机上で場所を取り、じゃまになる時もあった。
（ロ）従来のメモ帳の大半は、ただ白地の用紙を綴っただけのものであり、当面の予定や日程が、一目で分かるように工夫されたものはなかった。
本発明は、これらの問題点を解決するためになされたものである。
【課題を解決するための手段】
【０００４】  メモ帳の紙面を、今週のメモ欄（１）、来週のメモ欄（２）、再来週・その他のメモ欄（３）に三分し、メモ欄の境には、ミシン目（４）をいれ、各メモ欄の間には、段差（５）を設ける。以上を特徴とする週ごと三分メモ帳である。
【発明の効果】
【０００５】  常に、１〜３週間ほど先の予定や日程が、週単位で、しかも一目で確認でき、机上等で使用すると便利である。
【図面の簡単な説明】
【０００６】
【図１】  本発明の斜視図
【図２】  本発明のミシン目の位置を明示した斜視図
【図３】  本発明の使用状態を示す斜視図
【図４】  本発明の他の実施例を示す斜視図
【図５】  本発明の他の実施例を示す斜視図
【発明を実施するための形態】
【０００７】    以下、本発明の実施の形態について説明する。
（イ）メモ帳の紙面を、今週のメモ欄（１）、来週のメモ欄（２）、再来週・その他のメモ欄（３）に三分する。
（ロ）各メモ欄の境には、ミシン目（４）を入れる。
（ハ）各メモ欄の高さに若干の差を設け、段差（５）が生ずるようにする。
本発明は、以上のような構成となる。
これを使用するときは、週の初めに１〜３週間先の予定や日程を、今週のメモ欄（１）、来週のメモ欄（２）、再来週・その他のメモ欄（３）に分け、それぞれメモをする。そして、一週の間にメモ項目をチェックし、必要ならばメモの加除訂正もおこなっていく。
そして、週の変わり目には、不必要になった前の週の古いメモ欄を、ミシン目等に沿って取り去り、新しいメモ欄を用意する。新しいのメモ欄にはそれぞれ、次週をスタートに、新たにメモをしていく。以下、同じことを週ごとに繰り返し進んでいく。
以上のようにすれば、常にある週を基点に、その先、１〜３週間の予定や日程が、一目でわかり、机上等に置き利用すれば便利である。
【０００８】  なお、本発明の他の実施例として、図４の斜視図のように、今週のメモ欄（１）、来週のメモ欄（２）、再来週・その他のメモ欄（３）を一列に並べることも可能である。
【０００９】  又、メモ帳にミシン目を入れず、図５の斜視図のように三つのメモ欄をそれぞれ独立したブロックとして配置することも可能である。
【符号の説明】
【００１０】      １  今週のメモ欄
２  来週のメモ欄
３  再来週・その他のメモ欄
４  ミシン目
５  段差
【図１】
2011046185.tif 000003
【図２】
2011046185.tif 000004
【図３】
2011046185.tif 000005
【図４】
2011046185.tif 000006
【図５】
2011046185.tif 000007
(57)【要約】【課題】本発明は、インフルエンザ菌やノロウィルス菌等のウィルスによる、手指を介した感染を防ぐためのパウダースプレーである。流行期には電車の手摺やドアノブなど様々な部分にウィルスが付着する。それらを人が触ることによって、ウィルスは別の場所へ移動、拡大していき、ひいては多くの人々が感染していくという悪循環となる。銀イオン（ＡＧ＋）を手指に継続的に付着させておくという本発明は上記のような状況を防ぐことが出来ると同時に社会に対して安心、安全を提供する。【解決手段】銀イオン（ＡＧ＋）をセルロースと融合させ、パウダー状にして手指（人体の皮膚）に馴染みやすい状態にする。それをスプレーにて手指の細部に至るまで吹き付け、長時間銀イオン（ＡＧ＋）が手指に付着した状態を持続させる。【選択図】図１
2011046678.tif 000002
【特許請求の範囲】
【請求項１】
銀イオン（ＡＧ＋）を手指に付着させておき、インフルエンザ菌等ウィルスの手指を介した感染を継続的に防ぐパウダースプレー。
【発明の詳細な説明】
【技術分野】
【０００１】本発明は、インフルエンザ菌やノロウィルス菌等のウィルスによる、手指を介した感染を防ぐパウダースプレーに関するものである。
【背景技術】
【０００２】アルコール消毒などによって手洗いを行い、インフルエンザ菌等のウィルス感染を防いでいる。
【発明の開示】
【発明が解決しようとする課題】
【０００３】アルコール消毒などの手洗いによって、インフルエンザ菌等のウィルスは、一時的に、除菌、又は除去された状態となるが、継続的ではない。手洗いした直後に、菌の付着したドアノブなどに触れると、手洗いを行った意味がなくなってしまう。なお、自宅以外の場においては頻繁に手洗いを行う事が出来る状態にない。
本発明は以上の問題点を解決し、継続的にウィルスが手指に付着しないようなされたものである。
【課題を解決するための手段】
【０００４】銀イオン（ＡＧ＋）は抗細菌剤として１９００年代初頃から使用されており、高い抗菌作用があるだけでなく、人体には全く無害であることが歴史的にも証明されている。その銀イオン（ＡＧ＋）をセルロースと融合させ、パウダー状にして手指（人体の皮膚）に馴染みやすい状態にする。それをスプレーにて手指の細部に至るまで吹き付け、銀イオン（ＡＧ＋）が長時間手指に付着した状態を持続させる。
本発明は以上の構成よりなる、インフルエンザ菌等のウィルスが手指に付着することを防ぐパウダースプレーである。
【発明の効果】
【０００５】手指を介したインフルエンザ菌等のウィルス感染を防ぐ。
【発明を実施するための最良の形態】
【０００６】以下、本発明の実施の形態を説明する。
（イ）セルロースに銀イオン（ＡＧ＋）を融合させる。
（ロ）上記（イ）をパウダー状にした粉末を、携帯出来る大きさのスプレー缶に密閉する。
本発明は以上の構成よりなる。
本発明を使用する場合は、スプレー缶から上記パウダーを手指にむらなく吹き付け、銀イオン（ＡＧ＋）が含まれたセルロースによって手指をコーティングした状態を継続させる。
【図面の簡単な説明】
【０００７】
【図１】本発明における銀イオン（ＡＧ＋）が含まれたセルロース概略図
【図２】本発明におけるパウダーが封入された圧縮缶の使用方法イメージ図
【図３】銀イオン（ＡＧ＋）が手指へのウィルス付着を防ぐイメージ図
【符号の説明】▲１▼セルロース
▲２▼銀イオン（ＡＧ＋）
▲３▼銀イオン（ＡＧ＋）配合パウダースプレー缶
▲４▼ウィルス
▲５▼銀イオン（ＡＧ＋）を含んだセルロースパウダー
▲６▼手指の皮膚（人体）
【図１】
2011046678.tif 000003
【図２】
2011046678.tif 000004
【図３】
2011046678.tif 000005
(57)【要約】      （修正有）【課題】従来のベビーカーは、人力であるが故に、坂道の登り坂や、積載荷重の重量によっては移動が困難な時もあり、乳幼児同伴での使用は婦人や非力の人にとって不向きであった。電動ベビーカーによりこれらの抵抗を解決し、安全で、操作が簡便な構造は外出を手助けする効果を発揮することを提供する。【解決手段】挿脱可能なバッテリー１と、駆動モーター２をベビーカーの中央に配置することによりベビーカーの安定性を計ると共に、不安定な場所での安全性を確保する。挿脱可能なバッテリー１により使用及び移動距離の柔軟性を特徴とする。【選択図】図１
2011046367.tif 000002
【特許請求の範囲】
【請求項１】
挿脱可能なバッテリーと、駆動モーター、交換器お呼び前輪と後輪の中間辺りに設けた中輪。バッテリー、駆動モーター、交換器は中輪と共に、ベビーカーの座席シート下部に組み込むことを特徴とする電動ベビーカー。
【請求項２】
請求項１記載の駆動モーターは、交換器を解してベビーカー左右のハンドルに各々、レバーを設け、ワイヤーで交換器と接続し、その駆動は、中輪に伝達される。また、レバーをつまむとスイッチが入り、レバーを離すとスイッチが切れる、安全を第一に考えた構成で有る。左右のうちいずれいずれかが、前進、反対側が、後退する簡便な構造を特徴とする電動ベビーカー。
【請求項３】
前記中輪は、交換器を解して車輪が自由に回転する事が出きる。駆動機構を使用しない時、及びバッテリーの不足時等は、従来のベビーカーとなんら変わらず使用可能となることを特徴とする電動ベビーカー。
【請求項４】
前記中輪は、前進、及び後退時のベビーカーの安定、左右の回転、方向変換時の安定性、及び走行性能の安全確保の機能を有することを特徴とする電動ベビーカー。
【発明の詳細な説明】
【技術分野】
【０００１】  本発明は、従来のベビーカーの歩行と合わせて、モーターを駆動として、ベビーカーの歩行を補助する事が出来る、電動ベビーカーに関するものである。
【背景技術】
【０００２】  従来、乳幼児の外出時のベビーカーでの歩行は人力での移動が一般的であった。また、電動アシストとして、回転軸を、直接車輪のゴムに伝える方法がある。
【先行技術文献】
【特許文献】
【０００３】
【特許文献１】  実用新案登録第３１２７４７２号公報
【発明の概要】
【発明が解決しようとする課題】
【０００４】  従来のベビーカーは、人力であるが故に、坂道の登坂や、積載荷重の重量によっては移動が困難な時もあり、使用の制限を受けていたことが課題であった。【０００５】  従来、駆動機構のあるカート等は、車体重量が重く、乳幼児同伴での使用は婦人や非力の人にとって不向きであることが課題であった。【０００６】  乳幼児同伴等の外出時において歩行の補助、安全性、簡易性を備えた従来のベビーカーの形態を保つことが課題である。
【課題を解決するための手段】
【０００７】  挿脱可能なバッテリーと、駆動モーターをベビーカーの中央に配置することによりベビーカーの安定性を計ると共に、不安定な場所での安全性を確保する。挿脱可能なバッテリーにより使用及び移動距離の柔軟性を特徴とする。【０００８】  駆動モーターは交換器を解して、レバーをつままないと動かない、安全性を第一に考えた構造とした。交換器は、電動で推進、後退しないときは車輪を自由に回転するよう設定可能にしておき、駆動モーターを使用しない時は通常のベビーカーと変わりなく使用ができ、また、逆に交換器を解しロックが掛かるようにすることで、不使用時の安全も考慮る。合わせて、交換器は、スピードの調整機能も持たせたことが特徴とする。【０００９】  本発明の電動ベビーカーは、前輪と後輪の中間に中輪を設ける構造とした。中輪を設けることにより歩行時の回転、屈曲部の移動の際でも、転倒などの危険性を抑えることを実現した。これは安全性、安定性を計り内輪差の克服をする。
【発明の効果】
【００１０】  従来の人力によるベビーカーでは、移動がしずらい坂道の登り坂、積載荷重の重量についての許容の限界が、時として、婦人、老人、非力な人にとってベビーカーの使用に抵抗を感じていた。しかし、本発明の電動ベビーカーによりこの抵抗を感じないで移動する効果をもたらした。また、安全で、操作が簡便な構造は外出の手助けする効果を発揮する。
【図面の簡単な説明】
【００１１】
【図１】  本発明に係る電動ベビーカーの斜視図である。
【図２】  本発明に係る電動ベビーカーの正面図である。
【図３】  本発明に係る電動ベビーカーの側面図である。
【発明を実施するための形態】
【００１２】  以下、本発明の実施の形態を図１から図３に基づいて説明する。
【００１３】  図１はベビーカーに本発明装置を付加した図面で周知の部分は省略して図示していない。
【００１４】  記号９のベビーカー本体下部フレームにバッテリー１、駆動モーター２、交換器３を配置する。バッテリー１は、挿脱式として受電可能な状態とし、駆動モーター２と交換器３を解して接続してある。またバッテリー１、駆動モーター２、交換器３の位地は、左右、前後について、指定するものでは無い。
【００１５】  駆動モーター２は、車軸７、１０を解して中輪８に駆動を伝える。
【００１６】  レバー４、レバー５は交換器３とワイヤー６でつながれ、レバーを摘むとスイッチが入り、レバーを離すとスイッチが切れる、安全で簡単な構造である。また、レバーの左右は、前進と、後退のいずれかとする。
【符号の説明】
【００１７】  １    バッテリー
２    駆動モーター
３    交換器
４    レバー
５    レバー
６    ワイヤー
７    車軸
８    中輪
９    フレーム
１０  車軸
【図１】
2011046367.tif 000003
【図２】
2011046367.tif 000004
【図３】
2011046367.tif 000005
(57)【要約】【課題】今まで、鉛直上の垂直飛行と高速上の水平飛行という両面を併せ持つ垂直離着陸機類の開発に必要不可欠だった強力なリフトエンジンなどを専ら、要せず、しかも、さしたる二面性のメリットを存分に生かした特殊航空機類を普く供給する。【解決手段】既存の垂直離着陸機類の不足しがちな垂直飛行力（揚力でなく浮力）を高める為には、とりわけ、飛行船に付きもののヘリウムガス類を使用するのが妥当であり、且つ、  水平飛行時の飛行速度を軽減させないよう、極力、空気抵抗をなくす目的で、  同飛行船の様な固定式の皮袋体でなく、強力ゴム製等の伸縮式気嚢（ガスバッグ）システムなどを幅広く取り入れればよい・・・云々。【選択図】図１
2011046313.tif 000002
【特許請求の範囲】
【請求項１】
概ね、全翼機種等に於ける翼平面形の中央部辺りを除いた翼型の縁取り部分（ウイングフレーム）の枠内に、別途、（以下の伸縮式ゴム袋体のプロテクトカバーにもなる）カーボンファイバー製等の伸縮シート類を恰も、（特種）帆のごとき、翼弦線に沿って張り、且つ又、ちょうど、その両翼（ウイングシート）の翼下の中央部周辺に、特段、気密性等のある伸縮ゴム袋体を各々（左右共々）、萎ませて置き、適時、垂直飛行の際には、（必要なら、機体傍らに付帯したロールカーテン式等の付属装置類をもって、伸縮シート類を適当に緩めながら）当該機体の所定の部位に付設した（シーリング等に万全な）ヘリウムガスタンク類と連結（隣接）する空気圧縮機の吐出口より、左右の同上袋体を膨らまして、それ相応に浮力を高めた上で、（順次、一時的に圧縮機の電源を切った状態で）別段、翼付近（袋下部あたりの空気通り穴のある真下近く）のリフトファン（或いはローター等で左右逆回転のもの）などを稼働させながら、さしたる垂直飛行力をなお高め、逆に、（高速度の）水平飛行時には、（極力、膨張した同袋類に掛かる空気抵抗をなくす為）同圧縮機器の吸引口より、（同袋内の気体*ヘリウムを当該ガスタンクの方へ戻しつつ）同上袋を瞬時に収縮させては、適度な揚力を発生し続ける翼型の形状云々を保つように施した本垂直離着陸機類及び関連機器類一式。
【請求項２】
前項に係る当該機種の大きさ等に準じて、ヘリウムガス濃度の度合い云々を適度に調節し得る垂直飛行用浮力の自動調整システム。
【請求項３】
請求項１等に係る垂直離着陸機類の水平飛行中の揚力を必要以上に高める為、別段、形状記憶合金製等のフレキシブルなワイヤーフレーム類を要所要所に配置して、（一時的に）翼型の形状云々を保つように施したり、又、適時、その形態を変え行く翼状関連ものの膨張収縮機能などを促進（助長）させたり、更に、さしたる伸縮式気嚢風付翼類を固定翼のみならず、可変翼等にも採用して、別状、（開閉式）翼の折り畳み機能を交えつつ、臨機応変に対応した関連器具類一式。
【請求項４】
従前より、宇宙航空研究開発機構等が試案している飛行車類等の垂直飛行力を高める目的で、別段、当該車体の屋根裏*天井部云々に、請求項１〜３の様な伸縮式気嚢（ガスバッグ）システムを取り入れた垂直離着陸機類。
【発明の詳細な説明】
【技術分野】
【０００１】
本発明は、概して、特殊航空機類に係る関連機器上の製造技術云々に関するものである。
【背景技術】
【０００２】
上記の技法に準じる。
【発明の開示】
【発明が解決しようとする課題】
【０００３】
今まで、鉛直上の垂直飛行と高速上の水平飛行という両面を併せ持つ垂直離着陸機類の開発に必要不可欠だった強力なリフトエンジンなどを専ら、要せず、しかも、さしたる二面性のメリットを存分に生かした特殊航空機類を普く供給する。
【課題を解決するための手段】
【０００４】
既存の垂直離着陸機類の不足しがちな垂直飛行力（揚力でなく浮力）を高める為には、とりわけ、飛行船に付きもののヘリウムガス類を使用するのが妥当であり、且つ、  水平飛行時の飛行速度を軽減させないよう、極力、空気抵抗をなくす目的で、  同飛行船の様な固定式の皮袋体でなく、強力ゴム製等の伸縮式気嚢（ガスバッグ）システムなどを幅広く取り入れればよい・・・云々。
【発明の効果】
【０００５】
特段、鉛直上の垂直飛行と高速上の水平飛行という両面を併せ持つ垂直離着陸機類の利点を存分に生かせるようになる・・・云々。
【発明を実施するための最良の形態】
【０００６】
追って、手続補正にて表記する。
【実施例】
【０００７】
追って、手続補正にて表記する。
【図面の簡単な説明】
【０００８】
【図１】本垂直飛行システムの概観（水平飛行から垂直飛行に至る推移）を表す簡略図。
【０００９】
＊追って、断面図や部分図（詳細図）などを提示する。
【図１】
2011046313.tif 000003
(57)【要約】【課題】充填断熱（内断熱）及び外張断熱（外断熱）といった木造住宅の断熱方法の両立。夏季冬季兼の外壁断熱を可能にします。従来の方法では、夏季の空冷通気層の効果とともに冬季の断熱保温調湿層の効果の両方を望む事は出来ませんでした。【解決手段】在来木造工法に於いて、従来のグラスウール断熱に併せて、現実的な夏冬への対応が可能な外断熱の効果も加えられる。これにより、夏冬に対応した保温保冷調湿層を造る事が出来、住宅の熱損失を相当に抑えられます。夏季の空冷通気層の効果とともに冬季の断熱保温調湿層の効果の両方を望む事が出来、それに加え、壁内湿度の調整力をも併せ持ち、壁内環境をトータルに整え、管理し、保証することが出来る。加えて重要なのは、施工性に優れ、耐久性に優れる。適応性に優れ、現実性を持つ。価格も手頃な値段に抑えられることです。在来木造工法の外壁に、このような新しい意味を持たせる。そのために、水切りにスライド通気口を設けたもの。【選択図】図１
2011132751.tif 000002
【特許請求の範囲】
【請求項１】
在来木造工法に於いて、従来のグラスウール断熱に併せて、現実的な夏冬への対応が可能な外断熱の効果も加えられる。これにより、夏冬に対応した保温保冷調湿層を造る事が出来、住宅の熱損失を相当に抑えられます。夏季の空冷通気層の効果とともに冬季の断熱保温調湿層の効果の両方を望む事が出来、それに加え、壁内湿度の調整力をも併せ持ち、壁内環境をトータルに整え、管理し、保証することが出来る。加えて重要なのは、施工性に優れ、耐久性に優れる。適応性に優れ、現実性を持つ。価格も手頃な値段に抑えられることです。在来木造工法の外壁に、このような新しい意味を持たせる。そのために、水切りにスライド通気口を設けたもの。
【発明の詳細な説明】
【技術分野】
【０００１】
本発明は、木造住宅に関するものである。
【背景技術】
【０００２】
在来木造工法。及び２×４又は２×６工法、更に２×ミックス工法等。その他、軸組もしくはプレハブ工法等を含む新手の木造建築工法。
【０００３】
外張断熱（外断熱）、及び充填断熱（内断熱）等の木造住宅の断熱方法。
【０００４】
従来の在来木造工法用水切り。
【発明の概要】
【発明が解決しようとする課題】
【０００５】
充填断熱（内断熱）及び外張断熱（外断熱）といった木造住宅の断熱方法の両立。夏季冬季兼の外壁断熱を可能にします。従来の方法では、夏季の空冷通気層の効果とともに冬季の断熱保温調湿層の効果の両方を望む事は出来ませんでした。
【課題を解決するための手段】
【０００６】
夏、外壁材にこもった熱で、家の内部が暖まるのを防ぐ為に、外壁材と通気層との間、つまり、通気層の胴縁の上に、厚さ２cm程度のスタイロフォームを施工して断熱する事とします。更に通気層（気流層）で冷却、排熱する事によって冷房効果が飛躍的に向上します。そして、更にプラスαで優れた道が有ります。それは冬季の高断熱効果と両立する道です。夏の空冷通気層を、冬は断熱保温調湿層とする事です。それを可能にするのが当考案のスライド水切りです。冬はスライド水切りを遮断し、上昇気流を抑制して夏の空冷通気層を、断熱保温調湿層と変えます。冬は、自然２階軒換気、夏は、強制棟換気とします。その為に、夏用に、棟の辺りに換気扇を施す必要が有ります。冬は、換気扇は止めます。
夏の通気層は、こもった熱を建物の棟周辺で排熱する強制棟換気による空冷器官であるので、気流を妨げないように注意して施工する事とします。冬の通気層は、断熱保温調湿層であり、乾燥器官でもあるので、通気を妨げないように注意して施工することとします。冬の湿度調整通気口の確保（有穴軒天による）と、夏の通気層の風の流れの確保。
屋根ですが、同じようなスタイロフォームを野地板の裏にも、野地板に密着させて図１(１)の様に貼り付ける事とします。又、軒天の上の方（図１(２)の部分）にも貼り付ける事とします。陸屋根、かね勾配、等、それぞれに、やり方があります。野地板の裏に貼り付けたスタイロフォームと垂木の間に、隙間が生じるなら、発砲ウレタン等で塞ぐこととします。一階の軒天は無穴の物を用いることとします。二階の軒天は有穴の物を用います。一階の図１(３)の部分は、発砲ウレタン等で、隙間も埋めて塞ぐこととします。二階の図１(３)の部分は、暖かい空気はなかなか降りないからと、冬の湿度調整通気口の確保、有穴軒天による通気性の確保、夏は強制ファンを用いなくてもの通気層の自然な風の流れの確保の関係から、塞がないようにします。
通気層（断熱保温調湿層、空冷通気層）は、このスタイロフォームの内側に通さなければなりません。グラスウールとの間に設けなければなりません。
様は、保温保冷調湿層を造り、そこに、結露が起きなければいいのです。そのためには、併せて、内面工事（内壁、床、天井）の気密工法が必須です。
【発明の効果】
【０００７】
夏季冬季兼の外壁断熱を可能にします。これにより、夏冬に対応した保温保冷調湿層を造る事が出来、従来のグラスウール断熱に併せて、外断熱の効果も加えられ、住宅の熱損失を相当に抑えられます。充填断熱（内断熱）及び外張断熱（外断熱）といった木造住宅の断熱方法の両立。夏季の空冷通気層の効果とともに冬季の断熱保温調湿層の効果の両方を望む事が出来ます。壁内湿度の調整力を持ち、通気層工法を生かし、壁内環境をトータルに整え、管理し、保証することが出来ます。
【図面の簡単な説明】
【０００８】
【図１】発明の要旨を端的に現した要約図である。
【発明を実施するための形態】
【０００９】
（在来木造工法の構造は堅持する。その上で、）長年の耐用により、検証された材料を用い、木造住宅の性能価値を格段に向上させる組合せによる、施工可能な形での付加。
【実施例１】
【００１０】
在来木造工法。従来の充填断熱（グラスウール断熱）と併せて、スタイロフォーム（厚さ２cm）による簡易外張断熱の付加。
【実施例２】
【００１１】
充填断熱（内断熱）、及び外張断熱（外断熱）、両方の、木造住宅の断熱方法の両立。
【実施例３】
【００１２】
通気層工法を生かし、壁内湿度の調整力を併せ持ち、壁内環境をトータルに整え、管理し、保証することが出来る。
【産業上の利用可能性】
【００１３】
在来木造工法による木造建物の建築現場、在来木造工法用建材の工業生産。省エネ、長寿命、自然順応型パッシブエネルギー住宅を実現します。
【符号の説明】
【００１４】
１    当考案品（スライド水切り）
２    サイディング
３    スタイロフォーム
４    胴縁
５    通気層
６    貫
７    野地板
８    垂木
９    小根太
１０  土台
１１  基礎コンクリート
１２  破風
１３  軒天
１４  ブローイング
１５  垂壁
１６  天井
(１)    本文中参照のこと
(２)    本文中参照のこと
(３)    本文中参照のこと
【図１】
2011132751.tif 000003
(57)【要約】【課題】断熱能力の高い、基礎換気口です。今迄の基礎換気口は、断熱性が極めて低い物でした。【解決手段】基礎換気口に断熱性能を持たせるために、断熱材を中に含むプラスチックブロックをはめ込み式にし、内側には、丈夫な網を設けたものです。季節、目的に応じて開閉可能です。従来のものより、格段に断熱性能を高めることが出来ました。【選択図】図１
2011132755.tif 000002
【特許請求の範囲】
【請求項１】
基礎換気口に断熱性能を持たせるために、断熱材を中に含むプラスチックブロックをはめ込み式にし、内側には、丈夫な網を設けたもの。
【発明の詳細な説明】
【技術分野】
【０００１】
本発明は、木造住宅に関するものである。
【背景技術】
【０００２】
在来木造工法。及び２×４又は２×６工法、更に２×ミックス工法等。その他、軸組もしくはプレハブ工法等を含む新手の木造建築工法。
【０００３】
外張断熱（外断熱）、及び充填断熱（内断熱）等の木造住宅の断熱方法。
【０００４】
現在の基礎コンクリートをスタイロホームでぐるりと囲んで施工する断熱基礎の工法。
【０００５】
現在のスライド開閉式基礎換気口
【発明の概要】
【発明が解決しようとする課題】
【０００６】
今迄の基礎換気口は、断熱性が極めて低いものでした。
【課題を解決するための手段】
【０００７】
断熱材を中に含むプラスチックブロックをはめ込み式にし、内側には、丈夫な網を設けたもので、図１の(１)と(２)を合せたり、外したりすることによって、基礎換気口を開けたり閉じたり出来る断熱性能を持たせた床下換気口です。季節、目的に応じて開閉可能です。
夏は外して風通しを良くし、冬ははめ込んで断熱する。（冬も壁内設置型セントラル冷暖房機器のことを考えると少しの通気性を確保する必要が出て来るかもしれません。）
現在の住宅の高断熱高気密化、更には基礎断熱化に併せて、この断熱性能は必要不可欠と思われます。
全体が、ネズミにも喰いちぎられない強さのものにします。網の目の大きさは、蟻や蚊も入り込めないものにします。
（基礎と土台との隙間にプラスチックのパッキンを入れ、水平を調整した場合などに出来る基礎と土台との隙間には、必ず、シリコン等をコーキングする等をして蟻等の侵入を防ぐこととします。）
基本的な構成は同じなものの、図とは大きさ及び形状を変えてもよいものと思われます。鳩とか猫のシルエットにする等のデザイン性を持たせてもよいものと思われます。
【発明の効果】
【０００８】
従来のものより、格段に断熱性能を高めることが出来ました。現在の基礎コンクリートをスタイロホームでぐるりと囲んで施工する断熱基礎の工法では、この断熱性能は、なおさら意味を持ってきます。
【図面の簡単な説明】
【０００９】
【図１】図１は、発明の要旨を端的に現した説明図である。
【発明を実施するための形態】
【００１０】
現在の各種木造建築工法の構造は堅持する。その上で、長年の耐用により、検証された材料を用い、木造住宅の性能価値を向上させる組合せによる、施工可能な形での改善。
【実施例１】
【００１１】
木造住宅の断熱基礎の工法に於ける、断熱性の高い床下換気口の設置。
【産業上の利用可能性】
【００１２】
各種木造建築工法による木造建物の布基礎工事現場、木造住宅用建材の工場生産。省エネ、長寿命、自然順応型パッシブエネルギー住宅を実現します。
【符号の説明】
【００１３】
(１)    ブロック１
(２)    ブロック２
【図１】
2011132755.tif 000003
(57)【要約】【課題】在来木造工法の家では、壁内結露を防ぐ為に、壁内上昇気流を防ぐことは、工法上、なかなか難しかった。【解決手段】在来木造工法に於いて、壁の中の結露の原因である壁内上昇気流を抑制する為に壁の下端部分に挟み込む、およそ１０．５ｃｍ角のグラスウール材を銀フィルムで包んだもの。気流止めとなり断熱材の性能も発揮させられます。（気流により、熱が逃げません。）【選択図】図１
2011132752.tif 000002
【特許請求の範囲】
【請求項１】
在来木造工法に於いて、壁の中の結露の原因である壁内上昇気流を抑制する為に壁の下端部分に挟み込む、およそ１０．５ｃｍ角のグラスウール材を銀フィルムで包んだもの。気流止めとなり断熱材の性能も発揮させられます。
【発明の詳細な説明】
【技術分野】
【０００１】
本発明は、木造住宅に関するものである。
【背景技術】
【０００２】
在来木造工法。及び２×４又は２×６工法、更に２×ミックス工法等。その他、軸組もしくはプレハブ工法等を含む新手の木造建築工法。
【０００３】
外張断熱（外断熱）、及び充填断熱（内断熱）等の木造住宅の断熱方法。
【０００４】
従来からあるグラスウール断熱施工、又、ＢＩＢ工法や、発泡ウレタンを施工する方法。
【０００５】
壁内結露を防ぐ方法。（基礎下からビニールシートを敷いて地盤からの湿気の上昇を防ぐ方法、又、ＢＩＢ工法や、発泡ウレタンを施工する方法。）
【発明の概要】
【発明が解決しようとする課題】
【０００６】
在来木造工法の家では、壁内結露を防ぐ為に、壁内上昇気流を防ぐことは、工法上、なかなか難しかった。というのは、基礎下からビニールシートを敷いて地盤からの湿気の上昇を防ぐ方法は、根本的に気流止めが無い、他、地盤の冷えが直接室内に伝わる、施工中に雨が降る、等の難点があり、又、ＢＩＢ工法や、発泡ウレタンを施工する方法は、専門業者に外注しなければならないなどのために、単価が高くついたり、その他に、いろいろな難点があったりしました。
【課題を解決するための手段】
【０００７】
在来木造工法の家の壁の下端｛床から天井裏まで抜けている壁は全て(間仕切壁も二階の壁も含む)、だから窓台の下等は除く｝に銀フィルムを張った図１の形状のグラスウール材を挟み込むことにより、床下の湿気が壁の中を上昇する(又、気流が起こる)のを防いで、上昇気流と温度差と湿度により壁の中で結露が起こるのを防ぎ、壁内結露を防止し、木材を腐敗から守ります。その上でも、壁上部(天井裏)及び外壁を通しての湿度調整、乾燥、及び木材の呼吸は、壁上部(天井裏)は通常のグラスウールとブローイングの施工、外壁は通気層工法とそれを生かせられる調湿ボード、更に、防水透湿シートの施工により確保し、湿度調節を良好に保ち、木材の乾燥しきっていない湿気の乾燥や呼吸は確保します。
又、当考案のものは、壁の中の気流止めとなり、家全体の断熱性能を高められます。気流止めをすると、暖まった空気の移動があまり起こらないので、断熱材の性能を発揮させられます。又、断熱材を入れない間仕切り壁であってもその断熱性能（室内と壁の中の保温性）が変わってきます。間仕切壁の上部にブローイング施工の為に、グラスウールの切れ端を、挟み込むのも、壁の中の空気の対流を防ぐ意味でも効果があります。
図１の高さ※は、一般的な土台から胴差の間隔より、一般的なグラスウールの高さを引いた不足分の高さとします。重要な事としてグラスウールが胴差に届くように気を付けて施工します。又、一階、床下の断熱は、床の下地のコンパネを施工してしまっても、後から、外周りが大体かたまって、雨風が入らなくなってからの、床下からのＢＩＢ工法を採用します。そのことによってビニールシートに水溜まりが出来たり、グラスウールが濡れたりすることもなくなり、いろいろな大工工事も楽になり、断熱施工も確実になります。（その場合、当グラスウール内包断熱材が下からの圧力で抜けてしまわないような対処をします。又、入れていない所もブローイングがあふれ出ないような対処をします。）洪水等で床上浸水などになった場合でも復旧工事が可能です。二階、床下の断熱は、一階天井裏のブローイングに届くまで、きちんと垂壁を造って、断熱材を入れることとします。一階屋根からの冷気をきちんと塞ぎます。
家全体をグラスウールでくるりと包み込み、切れ目が無いように気を付けて施工します。
【発明の効果】
【０００８】
壁内結露の要因である、壁内上昇気流の発生を抑制し、壁内結露を防止します。この考案のものを適切に用いることにより、従来からあるグラスウール施工との併用だけで、簡単に、安価に、より健康的な、暖かい、長持ち住宅ができます。
又、壁の中の気流止めとなり、断熱材の性能を発揮させられ、家全体の断熱性能を高められます。
壁内環境をトータルに整え、管理し、保証することが出来ます。
【図面の簡単な説明】
【０００９】
【図１】発明の要旨を端的に現した解説図である。
【発明を実施するための形態】
【００１０】
（在来木造工法の構造は堅持する。その上で、）長年の耐用により、検証された材料を用い、木造住宅の性能価値を格段に向上させる組合せによる、施工可能な形での付加。
【実施例１】
【００１１】
従来からあるグラスウール施工との併用。
【産業上の利用可能性】
【００１２】
在来木造工法による木造建物の建築現場、在来木造工法用建材の工業生産。省エネ、長寿命、自然順応型パッシブエネルギー住宅を実現します。
【符号の説明】
【００１３】
１    当考案品（グラスウール内包断熱材）
２    グラスウール
３    胴差
４    土台
５    基礎
６    小根太
７    垂木
８    根太
９    ＢＩＢネット（ブローイング受ネット）
１０  ＢＩＢ（ブローイング）
※    本文中参照のこと
【図１】
2011132752.tif 000003
(57)【要約】【課題】今までは、ホッチキスの芯の様な針金が無数に木材に刺さり込み、残り、痛々しい状態で、木材の再利用、再加工を阻害していました。又、今までは、仕事が楽な様に床の下地を先に完成させたいという理由から、床全面に施工したビニールシートに施工中の雨によって水溜りが出来る。施工したグラスウールが湿ってしまう。という事が有りました。それは防ぐ事が難しい問題でした。【解決手段】石膏ボードの裏に防湿シート（レコードの袋のシートと同じもの）をあらかじめ張り付けて（更に、アルミシートを貼り付ける事によって保温性、保冷性を高めて）おくことにより、内壁（石膏ボード）工事の前に今までのようにあらかじめ、全面に、ビニールシートをホッチキスのようなもので張り付けておかなくてもよいようにします。又、ボードとボードの継ぎ目の木材に、当、防湿(気密)テープを張り付けます。その上から、先の防湿シートアルミシート付石膏ボードを施工します。その事によって、壁張り、天井張り等のボード張りの気密工法が、簡単に、楽に行えます。更に、このテープは、床工事の気密工法にも適用させる事が出来ます。当、テープは、すぐに剥せられる、半透明の、薄い、防湿性の、変質しない、幅4.5cmの、現在の養生テープに似たテープであります。【選択図】なし【特許請求の範囲】
【請求項１】
石膏ボードの裏に防湿シート（レコードの袋のシートと同じもの）をあらかじめ張り付けて（更に、アルミシートを貼り付ける事によって保温性、保冷性を高めて）おくことにより、内壁（石膏ボード）工事の前に今までのようにあらかじめ、全面に、ビニールシートをホッチキスのようなもので張り付けておかなくてもよいようにするアイデアです。
【請求項２】
当、テープは、すぐに剥せられる、半透明の、薄い、防湿性の、変質しない、幅4.5cmの、現在の養生テープに似たテープであります。
ボードとボードの継ぎ目の木材に、当、防湿(気密)テープを張り付けます。その上から、先の防湿シートアルミシート付石膏ボードを施工します。その事によって、壁張り、天井張り等のボード張りの気密工法が、簡単に、楽に行えます。
壁の下端は、石膏ボードのどん突きとし、床のコンパネとの間に、当、防湿(気密)テープを立ち上げて、挟み込み、施工する事によって気密性を守る事が出来ます。
床も、コンパネの継ぎ目に、上から、当、防湿(気密)テープを張って、更に、その上にフローリング等を施工する事によって、簡単に楽に高気密工法が行えます。
【発明の詳細な説明】
【技術分野】
【０００１】
本発明は、木造住宅に関するものである。
【背景技術】
【０００２】
在来木造工法。その他、木造軸組工法の新手の建築工法。
【０００３】
充填断熱（内断熱）、及び外張断熱（外断熱）等の木造住宅の断熱方法。
【０００４】
木造住宅の高断熱高気密工法。
【０００５】
防湿、気密ビニールシート。タッカ。
【発明の概要】
【発明が解決しようとする課題】
【０００６】
今までの高断熱高気密住宅は、石膏ボードを張る前に、全面に、ビニールの防湿気密シートを無数のホッチキスの芯の様な針金で張り付け、気密性を高め、室内の湿気が壁内に行くのを防ぎ、又、クロス張り石膏ボード壁の変色（下地の跡が出るなど）を防いでいました。今までは、ホッチキスの芯の様な針金が無数に木材に刺さり込み、残り、痛々しい状態で、木材の再利用、再加工を阻害していました。
又、仕事が楽な様に床の下地を先に完成させたいという理由から、今までは、床全面に施工したビニールシートに施工中の雨によって水溜りが出来る。施工したグラスウールが湿ってしまう。という事が有りました。それは防ぐ事が難しい問題でした。
【課題を解決するための手段】
【０００７】
新案は、石膏ボードの裏に防湿シート（レコードの袋のシートと同じもの）をあらかじめ張り付けておくことによって、気密(防湿)性を落とさないで、従来の方法をしなくて済むことを可能にしました。
新案の方が気密(防湿)性は高いままに、より簡単に、容易に施工出来て、作業が早くて、楽に高断熱高気密工法を確実に実施出来るという特長があります。
ボードとボードの継ぎ目の気密(防湿)性は、クロス工事の時にパテをしてクロスを張ると相当に高くなると思われますが、気密(防湿)性に問題が有り、又、年数が経つうちに変色(下地の跡が出て来る等)するようなら、防湿(気密)テープを用います。当、テープは、すぐに剥せられる、半透明の、薄い、防湿性の、変質しない、幅4.5cmの、現在の養生テープに似たテープであります。
ボードとボードの継ぎ目の木材に、当、防湿(気密)テープを張り付けます。その上から、先の防湿シートアルミシート付石膏ボードを施工します。その事によって、壁張り、天井張り等のボード張りの気密工法が、簡単に、楽に行えます。
壁の下端は、石膏ボードのどん突きとし、床のコンパネとの間に、当、防湿(気密)テープを立ち上げて、挟み込み、施工する事によって気密性を守ることとします。
床も、コンパネの継ぎ目に、上から、当、防湿(気密)テープを張って、更に、その上にフローリング等を施工する事によって、簡単に楽に高気密工法が行えます。
この考案によって、従来のように、床一面にビニールシートを施工する必要がなくなり、施工中の雨によって、ビニールシートに水溜りが出来るという難問も解決する事が出来ます。
又、一階床下の断熱は、外周りが大体固まって雨風が入らなくなってからの床下からのＢＩＢ工法を採用する事によって、床下の断熱材が、湿ってしまう事も、防ぐことが出来ます。更に、一階床下の断熱性能が高く、確実になります。又、施工も楽になります。
※壁用の石膏ボードの高さは、下端をコンパネにどん突きにしても、一枚で、天井高が240cm取れるように247cm程度の今までより少し伸ばした長さの方がよいと考えます。
※アルミ箔は、携帯電話の電波、パソコンの無線LAN等に障害を起す可能性が有り、安易には、使えません。
【発明の効果】
【０００８】
木材に、ホッチキスの芯状の針金が、無数に残るのを防ぐことが出来て、解体した材料を、現在より容易に、再利用（丸のこ等で再加工）できるようになりました。
新案の方が気密(防湿)性は保ったままで、より施工し易く、作業が早くて楽です。簡単でわかり易いという長所があります。又、アルミシートの保温性、保冷性により、より暖かい又は涼しい住宅を、可能にすることが出来ると思われます。アルミは、リサイクルを用いることとします。
当、防湿(気密)テープを様々な局面で使用することによって新たな目が開け、高断熱高気密住宅の、新しい工法の一部が、完成します。又、上記の理由から、仕事が楽な様に床の下地を先に完成させたいという願いも、雨の心配無く実施する事が出来るようになりました。というような様々な理由で、施工の確実性、完成品の完全度が優れています。施工性が優れています。
今までのような使い捨て文化を改めるような努力を致します。
【発明を実施するための形態】
【０００９】
（在来木造工法の構造は堅持する。その上で、）長年の耐用により、検証された材料を用い、木造住宅の性能価値を格段に向上させる組合せによる、施工可能な形での付加。
【実施例１】
【００１０】
在来木造工法の内壁工事、天井張り、床工事に於ける、高気密工法の実施。
【産業上の利用可能性】
【００１１】
在来木造工法による木造建物の建築、建設現場、在来木造工法用建材の工場生産。省エネ、長寿命、自然順応型パッシブエネルギー住宅を実現します。
(57)【要約】【課題】断熱性能、及び、冬の結露防止効果が高い３層ガラスだとサッシが重たくなってしまいました。防犯フィルムは簡単にキズがついてしまいました。【解決手段】防犯フィルムを内側に張り、３層ガラスの中間層をＣＤケースの様なプラスチック層にすることによって高断熱樹脂系３層防犯サッシの軽量化と傷つき難さを実現しました。ガラスに防犯フィルムを張る事によって、ガラスを薄くしても必要な強度を得る事が可能になり、サッシの更なる軽量化と強化を図れました。【選択図】図１
2011132756.tif 000002
【特許請求の範囲】
【請求項１】
防犯フィルムを内側に張り、３層ガラスの中間層をＣＤケースの様なプラスチック層にすることによって高断熱樹脂系３層防犯サッシの軽量化と傷つき難さを実現します。ガラスに防犯フィルムを張る事によって、ガラスを薄くしても必要な強度を得る事が可能になり、サッシの更なる軽量化と強化を図れます。
【発明の詳細な説明】
【技術分野】
【０００１】
本発明は、住宅の窓に関するものである。
【背景技術】
【０００２】
在来木造工法。及び２×４又は２×６工法、更に２×ミックス工法等。その他、軸組もしくはプレハブ工法等を含む新手の木造建築工法。更に、木造以外の建物にも適用可能。
【０００３】
外張断熱（外断熱）、及び充填断熱（内断熱）等の木造住宅の断熱方法。更に、木造以外の建物の様々な断熱方法にも対応。
【０００４】
防犯フィルム。
【０００５】
高断熱樹脂系２層サッシ、ペアガラス。高断熱３層サッシ等。
【発明の概要】
【発明が解決しようとする課題】
【０００６】
３層ガラスだとサッシが重たくなってしまいました。防犯フィルムは簡単にキズがついてしまいました。
【課題を解決するための手段】
【０００７】
軽量高断熱樹脂系３層防犯サッシを次の様な構成で造ります。
ガラス＋防犯フィルム＋空間＋クリアで変形変質しないＣＤケースの様なプラスチック層＋空間＋防犯フィルム＋ガラスの順。
これら、３枚は、四辺を、しっかりと接着して一体化させることが大切です。
傷つき難く、破り難く、軽量です。
断熱性能、及び、冬の結露防止効果が優れています。
ガラスに防犯フィルムを張ることによってガラスを薄くしても必要な強度を得ることが可能となり、サッシの更なる軽量化と強化を図れます。（全体で、ひびが入りづらい厚さにはしなければなりません。）
【発明の効果】
【０００８】
断熱性能、及び、冬の結露防止効果が高い３層サッシの軽量化を実現し、表面が傷つき難いように防犯フィルムを張り付けられました。
【図面の簡単な説明】
【０００９】
【図１】発明の要旨を端的に表現した解説図である。
【発明を実施するための形態】
【００１０】
様々な建築工法の構造は堅持する。その上で、長年の耐用により、検証された材料を用い、住宅の性能価値を格段に向上させる組合せによる、施工可能な形での改善。
【実施例１】
【００１１】
様々な建築工法による住宅の性能価値を向上させる窓の施工。
【００１２】
軽くて施工し易い上に高機能で、断熱性能が高く、冬の結露防止効果が高い窓。
【産業上の利用可能性】
【００１３】
様々な工法による建物の建築現場、建築用建材の工業生産。省エネ、良質、長寿命、自然順応型パッシブエネルギー住宅を実現します。
【符号の説明】
【００１４】
１    プラスチック層
２    空間
３    防犯フィルム
４    ガラス層
【図１】
2011132756.tif 000003